(57)【要約】【課題】芳香剤の残量及び香り強度を効率的に検知して報知できる画像形成装置を提供する。【解決手段】揮散性薬剤を内部に収容し装置本体に配置される香り発生手段と、揮散性薬剤の残量及び／又は強度を表示する表示部を有する表示手段と、を備え、表示手段は、表示部に揮散性薬剤の残量及び／又は強度をアイコン又は文字情報で選択可能な表示態様で表示し、アイコンが選択された場合に、選択されたアイコンの表示態様を変更する表示態様変更手段を有する。【選択図】図５
2016175285.tif 000002
【特許請求の範囲】
【請求項１】
揮散性薬剤を内部に収容し装置本体に配置される香り発生手段と、
前記揮散性薬剤の残量及び／又は強度を表示する表示部を有する表示手段と、を備えた、
ことを特徴とする画像形成装置。
【請求項２】
前記表示手段は、前記表示部の情報が表示されていない空き領域に前記揮散性薬剤の残量及び／又は強度を表示する、
ことを特徴とする請求項１に記載の画像形成装置。
【請求項３】
前記表示部における前記揮散性薬剤の残量及び／又は強度を表示する表示位置が選択可能である、
ことを特徴とする請求項１に記載の画像形成装置。
【請求項４】
前記表示手段は、前記表示部に前記揮散性薬剤の残量及び／又は強度をアイコン又は文字情報で選択可能な表示態様で表示し、前記アイコンが選択された場合に、選択された前記アイコンの表示態様を変更する表示態様変更手段を有する、
ことを特徴とする請求項１ないし３のいずれか１項に記載の画像形成装置。
【請求項５】
前記表示手段は、前記表示部で操作を受け付けているときは、前記アイコン又は文字情報の表示を隠蔽し、前記表示部で操作を受け付けなくなったときに、前記アイコン又は文字情報を表示する、
ことを特徴とする請求項１ないし４のいずれか１項に記載の画像形成装置。
【請求項６】
前記揮散性薬剤の残量と前記揮散性薬剤の強度は、前記表示部において独立して分離して表示する、
ことを特徴とする請求項１ないし５のいずれか１項に記載の画像形成装置。
【請求項７】
前記揮散性薬剤の残量と前記揮散性薬剤の強度は、前記表示部において同時に表示する、
ことを特徴とする請求項１ないし５のいずれか１項に記載の画像形成装置。
【請求項８】
使用者に情報を報知する報知手段を更に備え、
前記揮散性薬剤の残量が一定量以下になると、前記表示手段は、前記表示部にその旨を通知するアラート情報を表示させるとともに、前記報知手段は、予め定められた使用者に前記揮散性薬剤の残量のアラート報知を行う、
ことを特徴とする請求項１ないし７のいずれか１項に記載の画像形成装置。
【請求項９】
前記アラートは、前記表示部を含む発光手段の点灯によるアラートである、
ことを特徴とする請求項８に記載の画像形成装置。
【請求項１０】
前記表示部は、前記揮散性薬剤の残量に応じて現在の発光色とは異なる発光色を点灯させてアラート報知を行う、
ことを特徴とする請求項９に記載の画像形成装置。
【請求項１１】
前記アラートは、前記予め定められた使用者の情報端末が備える表示手段、音声手段及び振動手段の少なくとも一方を利用して行うアラートである、
ことを特徴とする請求項８に記載の画像形成装置。
【請求項１２】
前記報知手段が、前記揮散性薬剤の残量を記録媒体に印刷して前記揮散性薬剤の残量のアラート報知を行う、
ことを特徴とする請求項８に記載の画像形成装置。
【請求項１３】
前記報知手段が、前記揮散性薬剤の残量に応じて記録媒体の一部分を切断して前記揮散性薬剤の残量のアラート報知を行う、
ことを特徴とする請求項８に記載の画像形成装置。
【請求項１４】
前記報知手段は、前記揮散性薬剤の残量のアラート報知を行ってから予め定められた時間の経過後再度アラート報知を行う、
ことを特徴とする請求項８ないし１３のいずれか１項に記載の画像形成装置。
【発明の詳細な説明】
【技術分野】
【０００１】
本発明は、画像形成装置に関する。
【背景技術】
【０００２】
消臭芳香剤を充填するための注入口を有する容器本体と、容器本体の内部に上下方向に変位可能に収納された消臭芳香剤を貯留させる貯留槽と、貯留槽を常に上側へ付勢し、消臭芳香剤の容量が減少するにしたがって貯留槽を上方へ変位させる付勢手段と、貯蓄槽の底部に下端を一体に止着させた支持スリーブと、支持スリーブ内に嵌挿されて容器本体に一体に立設され、一部に支持スリーブとの上下方向の相対変位によって可動部材を揺動させるための溝部を有する中心軸体とを具備し、貯留槽を消臭芳香剤の容量に応じて付勢手段により上下方向に変位することにより、支持スリーブを中心軸体に対して上下方向に変位させて前記可動装飾体の可動部材を揺動させるようにした消臭芳香用具の残量表示装置が知られている（特許文献１）。
【０００３】
テレビジョン受信機と、テレビジョン受信機のテレビ画面外の前面側に設置され、テレビ画面の前方に向かって芳香剤を放出する香り発生装置と、テレビジョン受信機に信号を送信するテレビ用リモコン装置と、テレビジョン受信機本体に設けられ、テレビ用リモコン装置から送信された信号に従って、テレビ画面において、香り発生装置から放出される芳香剤の香り発生パラメータを設定すると共に、香り発生パラメータに従って香り発生装置から芳香剤を放出させる香り発生制御装置と、を備えている香り発生装置付きテレビジョン受信機も知られている（特許文献２）。
【先行技術文献】
【特許文献】
【０００４】
【特許文献１】特開平１０−１０８９０１号公報
【特許文献２】特開２０１０−１３０４７１号公報
【発明の概要】
【発明が解決しようとする課題】
【０００５】
装置本体内に設置されている香り発生装置の芳香剤の残量を効率的に検知できないことがあった。
本発明は、芳香剤の残量及び香り強度を効率的に検知して報知できる画像形成装置を提供することを目的とする。
【課題を解決するための手段】
【０００６】
前記課題を解決するために、請求項１に記載の画像形成装置は、
揮散性薬剤を内部に収容し装置本体に配置される香り発生手段と、
前記揮散性薬剤の残量及び／又は強度を表示する表示部を有する表示手段と、を備えた、
ことを特徴とする。
【０００７】
請求項２に記載の発明は、請求項１に記載の画像形成装置において、
前記表示手段は、前記表示部の情報が表示されていない空き領域に前記揮散性薬剤の残量及び／又は強度を表示する、
ことを特徴とする。
【０００８】
請求項３記載の発明は、請求項１に記載の画像形成装置において、
前記表示部における前記揮散性薬剤の残量及び／又は強度を表示する表示位置が選択可能である、
ことを特徴とする。
【０００９】
請求項４記載の発明は、請求項１ないし３のいずれか１項に記載の画像形成装置において、
前記表示手段は、前記表示部に前記揮散性薬剤の残量及び／又は強度をアイコン又は文字情報で選択可能な表示態様で表示し、前記アイコンが選択された場合に、選択された前記アイコンの表示態様を変更する表示態様変更手段を有する、
ことを特徴とする。
【００１０】
請求項５記載の発明は、請求項１ないし４のいずれか１項に記載の画像形成装置において、
前記表示手段は、前記表示部で操作を受け付けているときは、前記アイコン又は文字情報の表示を隠蔽し、前記表示部で操作を受け付けなくなったときに、前記アイコン又は文字情報を表示する、
ことを特徴とする。
【００１１】
請求項６に記載の発明は、請求項１ないし５のいずれか１項に記載の画像形成装置において、
前記揮散性薬剤の残量と前記揮散性薬剤の強度は、前記表示部において独立して分離して表示する、
ことを特徴とする。
【００１２】
請求項７に記載の発明は、請求項１ないし５のいずれか１項に記載の画像形成装置において、
前記揮散性薬剤の残量と前記揮散性薬剤の強度は、前記表示部において同時に表示する、
ことを特徴とする。
【００１３】
請求項８記載の発明は、請求項１ないし７のいずれか１項に記載の画像形成装置において、
使用者に情報を報知する報知手段を更に備え、
前記揮散性薬剤の残量が一定量以下になると、前記表示手段は、前記表示部にその旨を通知するアラート情報を表示させるとともに、前記報知手段は、予め定められた使用者に前記揮散性薬剤の残量のアラート報知を行う、
ことを特徴とする。
【００１４】
請求項９記載の発明は、請求項８に記載の画像形成装置において、
前記アラートは、前記表示部を含む発光手段の点灯によるアラートである、
ことを特徴とする。
【００１５】
請求項１０記載の発明は、請求項９に記載の画像形成装置において、
前記表示部は、前記揮散性薬剤の残量に応じて現在の発光色とは異なる発光色を点灯させてアラート報知を行う、
ことを特徴とする。
【００１６】
請求項１１記載の発明は、請求項８に記載の画像形成装置において、
前記アラートは、前記予め定められた使用者の情報端末が備える表示手段、音声手段及び振動手段の少なくとも一方を利用して行うアラートである、
ことを特徴とする。
【００１７】
請求項１２記載の発明は、請求項８に記載の画像形成装置において、
前記報知手段が、前記揮散性薬剤の残量を記録媒体に印刷して前記揮散性薬剤の残量のアラート報知を行う、
ことを特徴とする。
【００１８】
請求項１３記載の発明は、請求項８に記載の画像形成装置において、
前記報知手段が、前記揮散性薬剤の残量に応じて記録媒体の一部分を切断して前記揮散性薬剤の残量のアラート報知を行う、
ことを特徴とする。
【００１９】
請求項１４記載の発明は、請求項８ないし１３のいずれか１項に記載の画像形成装置において、
前記報知手段は、前記揮散性薬剤の残量のアラート報知を行ってから予め定められた時間の経過後再度アラート報知を行う、
ことを特徴とする。
【発明の効果】
【００２０】
請求項１に記載の発明によれば、芳香剤の残量を効率的に検知して報知することができる。
請求項２に記載の発明によれば、既存の表示部の空き領域を利用して情報を通知することができる。
請求項３に記載の発明によれば、既存の表示部において使用者が情報の表示位置を選択することができる。
請求項４に記載の発明によれば、使用者が情報の表示態様を選択することができる。
請求項５に記載の発明によれば、装置本体の設定操作を容易に行うことができる。
請求項６及び７に記載の発明によれば、芳香剤の残量と強度を独立して通知することができる。
請求項８ないし１４に記載の発明によれば、芳香剤の取り替え時期を効率的に報知することができる。
【図面の簡単な説明】
【００２１】
【図１】（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図である。
【図２】画像形成装置１の内部構成を示す縦断面模式図である。
【図３】香り発生装置８０を含む制御装置１０のハードウェア構成を示すブロック図である。
【図４】（ａ）は香り発生装置８０の１つの構成を示す斜視図、（ｂ）は縦断面図、（ｃ）は香り発生装置８０の開閉機構の構成を示す断面模式図である。
【図５】（ａ）は操作情報部９０の表示部を示す模式図、（ｂ）は表示部に表示される芳香剤の残量表示の一例を示す模式図である。
【図６】（ａ）は芳香剤の放出強度情報を表示した態様の一例、（ｂ）は芳香剤の残量情報と放出強度情報を同時に表示した態様の一例を示す模式図である。
【図７】画像形成装置１とネットワーク等の通信回線で接続された情報端末に香り発生装置８０における芳香剤の残量をアラート情報として報知する一例を示す模式図である。
【図８】香り発生装置８０における芳香剤の残量を記録媒体に印刷して報知するアラート報知の一例を示す模式図である。
【図９】香り発生装置８０における芳香剤の残量を記録媒体の一部を切断して報知するアラート報知を行う一例を示す模式図である。
【発明を実施するための形態】
【００２２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２３】
（１）画像形成装置の全体構成及び動作
図１（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図、図２は画像形成装置１の内部構成を示す縦断面模式図、図３は香り発生装置８０を含む制御装置１０のハードウェア構成を示すブロック図、図４（ａ）は香り発生装置８０の１つの構成を示す斜視図、（ｂ）は縦断面図、（ｃ）は香り発生装置８０の開閉機構８５の構成を示す断面模式図である。
以下、図面を参照しながら、画像形成装置１の全体構成及び動作を説明する。
【００２４】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
【００２５】
図２に示すように、画像形成部２は、筐体Ｆ（不図示）内に、制御装置１０、給紙装置２０、感光体ユニット３０、現像ユニット４０、転写ユニット５０、定着ユニット６０、排気装置７０が配置され（図１（ｃ）、（ｄ）に図示）、筐体Ｆ（不図示）は分割された複数の外装カバー５で覆われて構成されている。
【００２６】
画像形成部２の底部には、多数の記録媒体としての用紙Ｐが積載された給紙装置２０が設けられている。給紙装置２０の上方には、感光体ユニット３０、現像ユニット４０が配置され、それぞれの感光体ドラム３１上にはそれぞれの現像ユニット４０によってイエロー（Ｙ）、マゼンタ（Ｍ）、シアン（Ｃ）、黒（Ｋ）のトナー像が形成される。
【００２７】
トナー像は、転写ユニット５０の中間転写ベルト５１上に順次静電転写（一次転写）され、各色トナーが重畳された重畳トナー像が形成される。中間転写ベルト５１上の重畳トナー像は、給紙装置２０から送り出された用紙Ｐに一括転写（二次転写）される。
【００２８】
転写ユニット５０においてトナー像が一括転写された用紙Ｐは、定着ユニット６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成部２の上面に形成された排出トレイ部Ｔに排出・収容される。
【００２９】
発熱を伴う定着ユニット６０や電源装置等から離れた前面底部には、画像形成装置１周辺における揮散性薬剤の残留濃度を検出する香りセンサＳＮ１が備えられている。
香りセンサＳＮ１としては、金属酸化物半導体センサ、有機導電性ポリマーセンサ、静電容量型センサ等が挙げられ、本実施形態においては金属酸化物半導体センサが用いられている。
制御装置１０は、香りセンサＳＮ１の出力に基づき、画像形成装置１周辺における揮散性薬剤Ｓの残留濃度を検出し、香り発生装置８０から放出された香りの強度を表示する。
【００３０】
図１（ｃ）、（ｄ）に示すように、画像形成装置１の背面側の筐体（不図示）内には排気装置７０が設けられている。
排気装置７０は、筐体（不図示）内で画像形成装置１の背面側に向かって形成された通気ダクト７１を有し、排気ファン７２を回転駆動して外装カバー５に形成された開口部５ａから画像形成装置１内の熱せられた空気を機外へ排出する。
【００３１】
外装カバー５の開口部５ａには香り発生装置８０が設置されている。開口部５ａには、開口部５ａを覆い排気ファン７２により排出される空気を通過させる通気孔６ａを有する着脱可能な外装部材６が取り付けられている（図１（ｄ）参照）。
【００３２】
画像形成装置１は、動作状態において排気ファン７２が回転すると、画像形成装置１内部の空気が吸入され、開口部５ａから外装部材６の通気孔６ａを介して装置外部へ排気する。排気ファン７２によって通気孔６ａから排気される空気流は、香り発生装置８０の上方を流通し、香り発生装置８０の内部から揮散した香り成分が空気流の流通方向に拡散する。
【００３３】
開口部５ａには、香り発生装置８０に収容された揮散性薬剤Ｓの残量を検知する残量検知センサＳＮ２が備えられている（不図示）。
残量検知センサＳＮ２としては、特に限定されないが、たとえば、発光部および受光部を有する透過型の光センサである。そして、制御装置１０は、残量検知センサＳＮ２の出力に基づき、香り発生装置８０内の揮散性薬剤Ｓの残量を検知し、香り発生装置８０の交換の残量を表示する。
【００３４】
図３に示すように、制御装置１０は、香りセンサＳＮ１及び残量検知センサＳＮ２からの検知信号を取得する情報取得部１０１、情報取得部１０１により取得されたそれぞれの値に応じて、排気ファン７２の駆動を制御するファン駆動部１０２、香り発生装置８０の開閉を制御する開閉制御部１０３、操作情報部９０の操作受け付け及び情報の表示を制御するＵＩ制御部１０５、通信回線を介して外部機器との通信を制御する送信制御部１０６、を備えて構成されている。
【００３５】
読取部３の前面側には、ユーザーインターフェイスとしての操作情報部９０が配置されている。操作情報部９０は、液晶表示パネル、各種操作ボタン、タッチパネル等を組み合わせて構成され、画像形成装置１の使用者は、操作情報部９０を介して各種の設定や指示の入力を行う。また、液晶表示パネルを介して画像形成装置１の使用者へ各種情報を表示する。
【００３６】
（１．２）香り発生装置
図４に示すように、香り発生装置８０は、一端側が開口した有底の容器本体８１に、揮散性薬剤Ｓを収容する。開口部は、蓋体８２と接合され、揮散性薬剤Ｓが収容された香り発生装置８０として密閉されている。
【００３７】
蓋体８２の上面には、開閉機構８５が設けられている。開閉機構８５は、図４に示すように、開口部を塞ぐ閉鎖位置（図４（ｂ）参照）と互いに離間して開口部を開放する開放位置（図４（ｃ）参照）とを切り替えるようになっている。
【００３８】
開閉機構８５は、開放位置では、図４（ｃ）に示すようにそれぞれのフラップ８６が形成する通気路８７が断面視一定方向に傾斜して停止するように回転が規制されている。その結果、香り発生装置８０が設置された状態で蓋体８２の上方を排気ファン７２によって排気される空気流が流通した場合には、通気路８７を介して容器本体８１の内部から揮散した香り成分が空気流の流通方向に拡散する。
【００３９】
揮散性薬剤Ｓは、揮散性物質としての芳香剤を保持し、容器本体８１内に充填されて保持されたゲル成形体である。ゲル成形体に保持される揮散性物質は、ゲル成形体から揮散により蓋体８２の通気路８７を介して外部に放出される物質であり、揮散性の芳香剤、消香剤などが挙げられる。
【００４０】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部側が上下いずれの方向でも使用できるように、形状保持性を有するように形成される。
【００４１】
（２）芳香剤の残量及び強度表示
図５（ａ）は表示手段としての操作情報部９０の表示部を示す模式図、（ｂ）は表示部に表示される芳香剤の残量表示の一例を示す模式図である。
【００４２】
図５（ａ）に示すように、操作情報部９０の表示部には、画像形成装置１の使用者が、操作情報部９０を介して各種の設定や指示の入力を行うためのアイコン等が表示され、各種アイコンが表示されていない空き領域Ｒに揮散性薬剤としての芳香剤の残量情報、放出強度情報を表示する。
空き領域Ｒは、制御装置１０によってＵＩ制御部１０５を介して表示部に設定される。
【００４３】
図５（ｂ）にそれぞれ模式的に示すように、芳香剤の残量情報は、残量検知センサＳＮ２の検知した値に従って算出され、算出された残量情報が香り発生装置８０の芳香剤の残量に連動してアイコンの態様で表示部の空き領域Ｒに表示される。
【００４４】
アイコンの態様は、図５（ｂ）に例示するように、全体を１００％として横型の棒状で表示してもよく、また、例えば、４分割された縦型の棒状で表示されてもよく、予め備えられた表示態様から、使用者が選択して表示することができる。また、残量は、文字情報として表示されてもよい。
【００４５】
図６（ａ）には、芳香剤の放出強度情報を表示した態様の一例を示す。画像形成装置１周辺における放出された芳香剤の強度情報は、香りセンサＳＮ１の検知した値に従って算出され、算出された香り強度情報が香り発生装置８０から放出された香り強度に連動してアイコンの態様で表示部の空き領域Ｒに表示される。また、香り強度情報は文字情報として表示されてもよい。
【００４６】
図６（ｂ）には、芳香剤の残量情報と放出強度情報を同時に表示した態様の一例を示す。残量がアイコンの態様又は文字情報で表示され、同時に香り強度情報が棒状のアイコンで表示されている。
香りセンサＳＮ１の検知した値及び残量検知センサＳＮ２の検知した値に従って算出された残量情報と香り強度情報が同時に表示されることで、香り発生装置８０における揮散性薬剤Ｓとしての芳香剤が消耗して香り強度が弱いのか、香り発生装置８０の開閉機構８５の動作不具合によって香り強度が弱いのかの判別が容易になる。
【００４７】
（３）芳香剤の残量アラート報知
図７は画像形成装置１とネットワーク等の通信回線で接続された情報端末に香り発生装置８０における芳香剤の残量をアラート情報として報知する一例を模式的に示している。
制御装置１０は、揮散性薬剤Ｓとしての芳香剤の残量が一定量以下になると、ＵＩ制御部１０５を介して操作情報部９０の表示部にその旨を通知するアラート情報を表示させるとともに、送信制御部１０６を介して予め定められた使用者に芳香剤の残量のアラート報知を行う。
【００４８】
使用者の情報端末としては、画像形成装置１に印刷指示を行うクライアント装置Ａ、携帯情報端末としてのタブレット表示装置Ｂ、スマートフォンＣ等が挙げられる。アラート情報の報知態様としては、情報端末が備える表示手段、音声手段及び振動手段の少なくとも一方を利用して行うアラートが挙げられる。
具体的には、アラート情報は、メール、表示部へのアイコン表示、バイブレーションで通知される。
【００４９】
さらに、画像形成装置１が備える発光手段を点灯させてアラート報知することもできる。発光手段としては、とくに限定されないが、画像形成装置１が備える操作情報部９０の表示部のバックライトを現在の発光色とは異なる発光色に変化させて報知することができる。
また、芳香剤の残量に応じて発光させる発光色をそれぞれ異なる発光色に変更して通知してもよい。
【００５０】
（４）芳香剤の残量情報の印刷表示
図８には香り発生装置８０における芳香剤の残量を記録媒体に印刷して使用者に芳香剤の残量のアラート報知を行う一例を示す。
図８（ａ）に示す用紙では、用紙Ｐの四方に一定幅（例えば、２ｍｍ）で必要余白領域が存在しており、必要な余白としてその領域には印刷されず、用紙内で必要余白領域を除く画像の形成が可能な領域（画像形成領域）に画像が印刷されている。
【００５１】
制御装置１０は、揮散性薬剤Ｓとしての芳香剤の残量が一定量以下になると、その旨を通知するアラート情報を画像データとして、画像形成領域の原稿画像データ又は印刷データが存在しない位置に配置して印刷する（図８（ｂ）参照）。
【００５２】
また、制御装置１０は、アラート情報の画像データが画像形成領域に収まらないと判定した場合、原稿画像データ又は印刷データとは分離してアラート情報のみを記録媒体に印刷して芳香剤の残量のアラート報知を行う。
また、原稿の画像データ又は印刷データを出力可能なサイズに合わせて縮小してアラート情報の画像データが画像形成領域内に収まるように調整してもよい（図８（ｃ）参照）。  
【００５３】
図９には香り発生装置８０における芳香剤の残量を印刷される記録媒体の一部を切断して使用者に芳香剤の残量のアラート報知を行う一例を示す。
具体的には、公知の裁断装置（不図示）を用いて、定着ユニット６０でトナー像が定着されて排出される際に、記録媒体の角部の一部を切断することによりアラート報知を行う。
図９（ａ）、（ｂ）に示すように、芳香剤の残量に応じて切断量を変化させたアラート情報として通知してもよい。
【符号の説明】
【００５４】
１・・・画像形成装置
２・・・画像形成部
３・・・読取部
４・・・読取装置支持部
５・・・外装カバー
５ａ、５ｂ・・・ルーバ部
１０・・・制御装置
２０・・・給紙装置
３０・・・感光体ユニット
４０・・・現像ユニット
５０・・・転写ユニット
６０・・・定着ユニット
７０・・・排気装置
７１・・・通気ダクト
７２・・・排気ファン
８０・・・香り発生装置
９０・・・操作情報部
【図１】
2016175285.tif 000003
【図２】
2016175285.tif 000004
【図３】
2016175285.tif 000005
【図４】
2016175285.tif 000006
【図５】
2016175285.tif 000007
【図６】
2016175285.tif 000008
【図７】
2016175285.tif 000009
【図８】
2016175285.tif 000010
【図９】
2016175285.tif 000011